(57)【要約】      （修正有）【課題】ロール状態に丸めた整理内袋の外周にフラップ部を巻き付けることで、不使用時にコンパクトな状態として、持ち運び易くすることができる整理内袋を提供する。【解決手段】ロール状態に変形可能に形成された袋状の整理内袋本体２と、整理内袋本体の前面側２０ａに揺動可能に形成されたフラップ部３と、を備え、収納物を整理内袋本体の内と外に分けてバッグ内を整理して収納する整理内袋１であって、フラップ部３は、ロール状態の整理内袋本体の外周に巻き付けて、整理内袋本体を面ファスナー３１、３２で固定する。【選択図】図５
0003218783.tif 000002
【実用新案登録請求の範囲】
【請求項１】
複数の収納物を収納し、後面側を軸心にしてロール状に丸めたロール状態に変形可能に形成された袋状の整理内袋本体と、
前記整理内袋本体の前面側に揺動可能に形成されたフラップ部と、を備え、前記収納物を前記整理内袋本体の内と外に分けて前記バッグ内を整理して収納する整理内袋であって、
前記フラップ部は、前記ロール状態の前記整理内袋本体の外周に巻き付けて、前記整理内袋本体を固定することを特徴とする整理内袋。
【請求項２】
請求項１に記載された整理内袋であって、
前記フラップ部は、先端側に形成された第１の面ファスナー部と、基端側に形成された第２の面ファスナー部とが形成されており、前記ロール状態の前記整理内袋本体の外周に巻き付けて、前記第１の面ファスナー部を前記第２の面ファスナー部に接着することを特徴とする整理内袋。
【請求項３】
請求項２に記載された整理内袋であって、
前記整理内袋本体における前記フラップ部が形成された端面には、前記第１の面ファスナーと着脱する第３の面ファスナーが形成されていることを特徴とする整理内袋。
【考案の詳細な説明】
【技術分野】
【０００１】
本考案は、バッグ内において複数の収納物を分けて整理する整理内袋に関する。
【背景技術】
【０００２】
整理内袋は、一般的に、鞄、リュックサック又は旅行鞄などの持ち運びするバッグ（以下、「バッグ」と言う。）内において、スーツ、ドレス、コートなどの衣類や、下着、ストッキングなどの日常着用する小物衣類、などの収納物（以下、「収納物」と言う。）を、分けて整理するものである。この整理内袋は、バッグ内に格納して、バッグ内において複数の収納物を整理内袋の内と外に分けて収納することで、複数の収納物を整理することができ、利便性が高い。このため、近年、整理内袋に関して鋭意研究なされている。
【０００３】
例えば、特許文献１（従来例）には、ケース体１１０（ハンドバッグ（不図示）内に格納するもの）に設けられた第１、第２、第３収容室１４０、１５０、１６０に分けて小物（口紅、コンパクト等）(不図示）を収容することで、ハンドバッグ内の小物を整理するハンドバッグ用整理ケース１００が開示されている。
【先行技術文献】
【特許文献】
【０００４】
【特許文献１】実開昭５５―９８２２５号公報
【考案の概要】
【考案が解決しようとする課題】
【０００５】
しかし、特許文献１に開示されたハンドバッグ用整理ケース１００は、図８で示すように、ケース本体１１０を狭くする際には、単に第１、第２、第３収容室１４０、１５０、１６０に設けられた折目１８０Ａ、１８０Ｂ、１８０Ｃ、１８０Ｄに沿って折り曲げる構成に過ぎないため、不使用時にケース本体１１０を十分にコンパクトにすることができず、持ち運びしにくい問題があった。
【０００６】
本考案は、上述した事情に鑑みてなされるものであって、ロール状態に丸めた整理内袋の外周にフラップ部を巻き付けて固定することで、不使用時にコンパクトな状態として、持ち運びし易くすることができる整理内袋を提供することを目的とする。
【課題を解決するための手段】
【０００７】
上記課題を解決するためになされた請求項１に記載の考案は、複数の収納物を収納し、後面側を軸心にしてロール状に丸めたロール状態に変形可能に形成された袋状の整理内袋本体と、前記整理内袋本体の前面側に揺動可能に形成されたフラップ部と、を備え、前記収納物を前記整理内袋本体の内と外に分けて前記バッグ内を整理して収納する整理内袋であって、前記フラップ部は、前記ロール状態の前記整理内袋本体の外周に巻き付けて、前記整理内袋本体を固定することを特徴とする。
【０００８】
請求項１に記載の考案によれば、ロール状に丸めた整理内袋をフラップ部の外周に巻き付けて固定することで、整理内袋をコンパクトな状態で保持し、持ち運びし易くすることができる。
【０００９】
請求項２に記載の考案は、請求項１に記載された整理内袋であって、前記フラップ部は、先端側に形成された第１の面ファスナーと、基端側に形成された第２の面ファスナーとが形成されており、前記ロール状態の前記整理内袋本体の外周に巻き付けて、前記第１の面ファスナーを前記第２の面ファスナーに接着することを特徴とする。
【００１０】
請求項２に記載の考案によれば、フラップ部における先端側の第１の面ファスナーを基端側の第２の面ファスナーに接着することで、ロール状態の整理内袋を簡単な構成で固定することができる。また、フラップ部の構成を簡略化することで、整理内袋の製造コストも低減化することができる。
【００１１】
請求項３に記載の考案は、請求項２に記載された整理内袋であって、整理内袋本体におけるフラップ部が形成された端面には、第１の面ファスナーと着脱する第３の面ファスナーが形成されていることを特徴とする。
【００１２】
請求項３に記載の考案によれば、フラップ部の第１の面ファスナーを整理内袋本体の第３の面ファスナーに脱着することで、整理内袋本体に収納物を収納する際に、フラップ部が揺動し、障害となることを防ぐことができる。
【考案の効果】
【００１３】
本考案によれば、ロール状態に丸めた整理内袋の外周にフラップ部を巻き付けることで、ロール状態で整理内袋を固定することができるため、不使用時に整理内袋をコンパクトな状態として、持ち運びし易くすることができる整理内袋を提供することができる。
【図面の簡単な説明】
【００１４】
【図１】第一実施例の整理内袋の斜視図である。
【図２】背面側における図１の整理内袋の斜視図である。
【図３】バッグ内に図１の整理内袋を収納した状態を示す概略図である。
【図４】図１の整理内袋に収納物を収納せず、扁平にした状態を示す斜視図である。
【図５】（Ａ）は図１の整理内袋におけるフラップ部を剥離させた状態を示す概略図であり、（Ｂ）は（Ａ）の後面側から整理内袋を丸め始めた状態を示す概略図であり、（Ｃ）は（Ｂ）の整理内袋をさらにロール状に丸めた状態を示す概略図であり、（Ｄ）はロール状態の整理内袋をフラップ部で巻き付けて固定した状態を示す概略図である。
【図６】図１の整理内袋を用いてバッグ内の収納物を整理する整理方法を示すフローチャートである。
【図７】図１の整理内袋をロール状態に丸める作業を示すフローチャートである。
【図８】従来例の整理ケースの斜視図である。
【考案を実施するための形態】
【００１５】
（第一実施例）
以下、図面を参照して、本考案の実施例に係る整理内袋１について説明する。
【００１６】
図１は第一実施例の整理内袋１の斜視図であり、図２は背面側における図１の整理内袋１の斜視図であり、図３はバッグ４内に図１の整理内袋１を収納した状態を示す概略図であり、図４は図１の整理内袋１に収納物を収納せず、扁平にした状態を示す斜視図であり、図５（Ａ）は図１の整理内袋１におけるフラップ部３を剥離させた状態を示す概略図であり、（Ｂ）は（Ａ）の後面側２０bから整理内袋１を丸め始めた状態を示す概略図であり、（Ｃ）は（Ｂ）の整理内袋１をさらにロール状に丸められた状態を示す概略図であり、（Ｄ）はロール状態の整理内袋１をフラップ部３で巻き付けて固定した状態を示す概略図である。
なお、整理内袋１の幅方向をＸ軸、整理内袋１の奥行き方向をＹ軸、整理内袋１の高さ方向をＺ軸とする。
【００１７】
図１乃至３で示すように、引用符号１は、本実施例の整理内袋１である。整理内袋１は、バッグ４に格納され、バッグ４内において複数の収納物（不図示）を内と外に分けて収納して、収納物を整理するものである。整理内袋１は、複数の収納物を収納する整理内袋本体２と、整理内袋本体２の前面側２０aに揺動可能に取付けられたフラップ部３と、を備える。
【００１８】
整理内袋本体２は、図１および３で示すように、例えば袋状をしており、例えばナイロン素材などの柔軟性を有する合成繊維素材で形成されている。この整理内袋本体２は、後面側２０bを軸心としてロール状に丸めたロール状態（以下、「ロール状態」という。）に変形可能に形成されている。
【００１９】
図１で示すように、整理内袋本体２の上面２０cには、フラップ部３の先端側３０aに着脱する雌面ファスナー部２1（第３の面ファスナー部）が設けられており、上端部外周に沿ってチャック部２２が設けられている。このチャック部２２は、整理内袋本体２の前面２０aを基点として上端部が開閉するように形成されている。
【００２０】
図１および２で示すように、整理内袋本体２の裏面側２０dは、網目状のメッシュ部２３が形成されており、内部に収納した複数の収納物を外部から視認することができるように形成されている。また、整理内袋１の前面側２０aには、バッグ４内に収納した整理内袋本体２を引き出す把手部２４が設けられている。
【００２１】
フラップ部３は、図１で示すように、例えばシート状に形成されており、例えばナイロン素材などの柔軟性を有する合成繊維素材で形成されている。フラップ部３も整理内袋本体２と同様に屈曲可能に形成されている。
【００２２】
図５（Ａ）で示すように、フラップ部３の先端側３０aの裏面には雄面ファスナー部３１（第１の面ファスナー部）が設けられており、基端側３０ｂの表面には雌面ファスナー部３２（第２の面ファスナー部）が設けられている。雄面ファスナー部３１は、整理内袋本体２側の雌面ファスナー部２１又はフラップ部３側の雌面ファスナー部３２と選択的に着脱することができるように形成されている。
【００２３】
本実施例の整理内袋１は、フラップ部３の雄面ファスナー部３１を整理内袋本体２側の雌面ファスナー部２1に接着させることで、整理内袋本体２内へ複数の収納物を収納する際に、フラップ部３が揺動し、収納物が収納し難くなることを防ぐことができる。
【００２４】
また、本実施例の整理内袋１は、前面側２０aに把手部２４が設けられているため、バッグ４から簡単に取り出すことができる。
【００２５】
さらに、本実施例の整理内袋１は、把手部２４を把持することで、持ち運びを容易にすることもできる。
【００２６】
次に、本実施例の整理内袋１を用いてバッグ４内を整理する整理方法について、図６を用いて説明する。初期条件として、図４で示すように、整理内袋１内には、収納物を収納せず、扁平な状態とする。
【００２７】
図６は図１の整理内袋１を用いてバッグ４内の収納物を整理する整理方法を示すフローチャートである。
【００２８】
使用者は、チャック部２２を開き、整理内袋１に複数の収納物を収納する（ＳＴＥＰ１、２）。使用者は、図１で示すように、複数の収納物を収納した後、チャック部２２を閉じる（ＳＴＥＰ３）。
【００２９】
使用者は、図３で示すように、複数の収納物を収納した整理内袋１をバッグ４内に格納する（ＳＴＥＰ４）。バッグ４内に整理内袋１を格納した後、さらに複数の収納物をバッグ４内における整理内袋１の外に収納して、バッグ４を閉じて、バッグ４内を整理する作業を終了する（ＳＴＥＰ５、６、７）
【００３０】
本実施例の整理内袋１は、バッグ４内に整理内袋１を格納することで、複数の収納物を整理内袋１の内と外に分けて収納することができるため、バッグ４内における複数の収納物を整理して収納することができる。
【００３１】
また、本実施例の整理内袋１は、バッグ４と独立して形成されているため、バッグ４内に格納する整理内袋１の数を自由に変更することができる。
【００３２】
例えば、バッグ４内に格納する整理内袋１を旅行の日数に合わせて複数用意する場合には、宿泊日ごとに複数の収納物を整理内袋１内に小分けにして収納することができるため、宿泊日ごとに必要な収納物をバッグ４内から簡単に取り出すことができる。
【００３３】
すなわち、本実施例の整理内袋１は、宿泊日数に合わせて複数の整理内袋１をバッグ４内に格納することで、必要な日の収納物を収納した整理内袋１のみをバッグ４内から取り出すことができるため、バッグ４内の他の収納物が乱れることを防止することができる。
【００３４】
次に、本実施例の整理内袋１をロール状態に丸める作業について、図７を用いて説明する。初期条件として、整理内袋１には、収納物が収納されていない状態とする。
【００３５】
図７は図１の整理内袋１をロール状態に丸める作業を示すフローチャートである。
【００３６】
使用者は、図５（Ａ）で示すように、フラップ部３の雄面ファスナー部３１を整理内袋本体２の雌面ファスナー部２1から離して、フラップ部３を整理内袋本体２から剥がす（ＳＴＥＰ１１、ＳＴＥＰ１２）。図５（Ｂ）で示すように、フラップ部３を整理内袋本体２から剥がした後、整理内袋本体２の後面側２０bを軸心として整理内袋本体２を丸める（ＳＴＥＰ１３）。
【００３７】
使用者は、図５（Ｃ）で示すように、後面側２０bを軸心としてさらに丸めて、整理内袋本体２をロール状態に丸める（ＳＴＥＰ１４、ＳＴＥＰ１５）。使用者は、図５（Ｄ）で示すように、整理内袋本体２をロール状態に丸めて、フラップ部３を整理内袋本体２の外周に巻き付ける（ＳＴＥＰ１６）。具体的には、フラップ部３の先端側３０aに形成された雄面ファスナー部３１をフラップ部３の基端側３０ｂに形成された雌面ファスナー部３２に接着して、ロール状態の整理内袋本体２の外周にフラップ部３で巻き付けて固定する。
【００３８】
ロール状態の整理内袋本体２の外周にフラップ部３を巻き付けた後、整理内袋本体２を丸める作業を終了する（ＳＴＥＰ１７）。
【００３９】
本実施例の整理内袋１は、ロール状態の整理内袋本体２の外周にフラップ部３を巻き付けることで、コンパクトな状態を簡単に維持することができる。
【００４０】
また、本実施例の整理内袋１は、整理内袋本体２に巻き付けるフラップ部３を、先端側３０aの雄面ファスナー部３１と基端側３０ｂの雌面ファスナー部３２で接着することで、フラップ部３を簡単に固定することができる。
【００４１】
さらに、本実施例の整理内袋１は、ロール状態の整理内袋本体２をフラップ部３で巻き付けて、整理内袋１をコンパクトな状態で維持することで、持ち運びし易くすることができる。
【００４２】
（他の実施例）
上記実施例において、ロール状態の整理内袋本体２に巻き付けられたフラップ部３を、先端側３０aに形成された雄面ファスナー部３１と基端側３０ｂに形成された雌面ファスナー部３２を接着する構成として説明したが、フラップ部３を整理内袋本体２の外周に巻き付けた状態で固定することができる構成であれば、特にこれに限られるものではない。
【００４３】
上記実施例において、整理内袋本体２の上端部外周には、チャック部２２が設けられているものとして説明したが、整理内袋本体２に収納物を収納することができる構成であれば、特にこれに限られるものではなく、例えば開口部（不図示）を設けてフック部（不図示）と被フック部（不図示）とで係止する構成としても良い。
【００４４】
上記実施例において、整理内袋本体２の前面２０aには把手部２４が設けられる構成として説明したが、バッグ４内から整理内袋本体２を取り出すことができる構成であれば、特にこれに限られるものではない。
【００４５】
また、上記実施例において、フラップ部３をシート状のものとして説明したが、ロール状態の整理内袋本体２の外周に巻き付け可能な構成であれば、特にこれに限られるものではない。
【００４６】
さらに、上記実施例において、チャック部２２は、整理内袋本体２の前面２０aを基点として上端部が開閉するように形成されているものとして説明したが、特にこれに限られるものではなく、整理内袋本体２の上端部が開閉することができるようにチャック部２２が設けられていれば良い。
【００４７】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００４８】
１…整理内袋
２…整理内袋本体
２０a…前面      ２０ｂ…後面      ２０ｃ…上面      ２０ｄ…裏面    ２１…雌面ファスナー部（第３の面ファスナー部）    ２２…チャック部    ２３…メッシュ部    ２４…把手部
３…フラップ部
３０a…先端      ３０ｂ…基端    ３１…雄面ファスナー部（第１の面ファスナー部）    ３２…雌面ファスナー部（第２の面ファスナー部）
４…バッグ
【図１】
0003218783.tif 000003
【図２】
0003218783.tif 000004
【図３】
0003218783.tif 000005
【図４】
0003218783.tif 000006
【図５】
0003218783.tif 000007
【図６】
0003218783.tif 000008
【図７】
0003218783.tif 000009
【図８】
0003218783.tif 000010